(57)【要約】【課題】カバーを収納するための広い据付スペースを必要としなくする。【解決手段】工作機械用カバーは、加工エリアの左側面の部分を被覆する固定カバー32と、加工エリアの頂面から右側面にかけての部分を開放自在に被覆する可動カバー33とよりなる。可動カバー33は、分割ライン41によって左側の第１分割カバー42および右側の第２分割カバー43に２分割されている。固定カバー32の上縁部に、第１分割カバー42がその左縁部を中心として上下旋回自在に連結されている。第１分割カバー42の右側縁部に、第２分割カバー43がその左縁部を中心として上下旋回自在に連結されている。【選択図】図３
2008188681.tif 000002
【特許請求の範囲】
【請求項１】
加工エリアの前後方向または左右方向である４側面のいずれか１つの第１の面の部分を被覆する固定カバーと、加工エリアの頂面から、第１の面と対向する第２の面にかけての部分を開放自在に被覆する可動カバーとよりなり、可動カバーが、分割ラインによって第１の面側の第１分割カバーおよび第２の面側の第２分割カバーに２分割されており、固定カバーの上縁部に、第１分割カバーがその第１の面側の縁部を回転中心軸線として旋回自在に連結されており、第１分割カバーの第２の面側の縁部に、第２分割カバーがその第１の面側の縁部を中心として上下旋回自在に連結されている工作機械用カバー。
【請求項２】
加工エリアに可動カバーが被覆させられた状態で、加工エリアの頂面および第２の面が交差する角に当たる部分よりも第１の面側に近い部分に分割ラインが位置させられている請求項１に記載の工作機械用カバー。
【請求項３】
固定カバーの上縁部に第１旋回軸が回転自在に支持され、第１旋回軸に第１分割カバーの第１の面側の縁部が固定されており、第１分割カバーの第２の面側の縁部に第２旋回軸が回転自在に支持され、第２旋回軸に第２分割カバーの第１の面側の縁部が固定されており、第１旋回軸および第２旋回軸の一方の回転を他方の反対方向の回転に伝動する伝動手段を備えている請求項１または２に記載の工作機械用カバー。
【請求項４】
伝動手段が、第１旋回軸と同心状に固定部分に固定されている固定スプロケットと、第２旋回軸に固定されている可動スプロケットと、固定スプロケットおよび可動スプロケットに巻掛けられているチェーンとよりなる請求項３に記載の工作機械用カバー。
【請求項５】
固定スプロケットの歯数よりも可動スプロケットの歯数が大である請求項４に記載の工作機械用カバー。
【発明の詳細な説明】
【技術分野】
【０００１】
この発明は、工作機械、とくに、門型マシニングセンタのような大型工作機械で、加工エリアにワークを搬入・搬出するためにクレーンを用いて行う工作機械において、加工エリアを開放自在に被覆するためのカバーに関する。
【背景技術】
【０００２】
この種のカバーとしては、図６に示すように、工作機械のベッド61上方の加工エリアの頂面から側面にかけての部分を開放自在に被覆するテレスコ式と称されるものが知られている。すなわち、テレスコ式カバーは、ベッド61の前方に配置されている固定カバー62と、固定カバー62の後方に前後動自在に配置されている第１〜第３可動カバー71〜73とを備えている。固定カバー62および可動カバー71〜73は、いずれも、横断面逆Ｌ字状のものである。図６は、カバーを閉じて、加工エリアを被覆している状態を示している。加工エリアを開放する際は、第１〜第３可動カバー71〜73を順次前方に向かって移動させ、固定カバー62の上に第１可動カバー71を、第１可動カバー71の上に第２可動カバー72を、第２可動カバー72の上に第３可動カバー73をそれぞれ重ねるようにする。
【０００３】
上記の通り、固定カバー62の部分が加工エリアを開放する際のカバー収納スペースの役割を果たすようになっている。収納スペースが必要であるため、その分だけ工作機械の据付スペースが広くなるという問題点があった。
【発明の開示】
【発明が解決しようとする課題】
【０００４】
この発明の目的は、カバーを収納するために広い据付スペースを必要としない工作機械用カバーを提供することにある。
【課題を解決するための手段】
【０００５】
この発明による工作機械用カバーは、加工エリアの前後方向または左右方向である４側面のいずれか１つの第１の面の部分を被覆する固定カバーと、加工エリアの頂面から、第１の面と対向する第２の面にかけての部分を開放自在に被覆する可動カバーとよりなり、可動カバーが、分割ラインによって第１の面側の第１分割カバーおよび第２の面側の第２分割カバーに２分割されており、固定カバーの上縁部に、第１分割カバーがその第１の面側の縁部を回転中心軸線として旋回自在に連結されており、第１分割カバーの第２の面側の縁部に、第２分割カバーがその第１の面側の縁部を中心として上下旋回自在に連結されているものである。
【０００６】
この発明による工作機械用カバーでは、加工エリアを被覆している状態から、可動カバーの第１分割カバーおよび第２分割カバーをそれぞれ上向きに旋回させると、加工エリアが開放され、この状態で、可動カバーは加工エリアの上方に収納される。したがって、床上に収納スペースを確保する必要が無く、工作機械の据付スペースを小さくすることができる。
【０００７】
さらに、加工エリアに可動カバーが被覆させられた状態で、加工エリアの頂面および第２の面が交差する角に当たる部分よりも第１の面側に近い部分に分割ラインが位置させられていると、旋回時の第２分割カバーの回転半径が小さくなり、収納時の可動カバーの高さを低く抑えることができる。
【０００８】
また、固定カバーの上縁部に第１旋回軸が回転自在に支持され、第１旋回軸に第１分割カバーの第１の面側の縁部が固定されており、第１分割カバーの第２の面側の縁部に第２旋回軸が回転自在に支持され、第２旋回軸に第２分割カバーの第１の面側の縁部が固定されており、第１旋回軸および第２旋回軸の一方の回転を他方の反対方向の回転に伝動する伝動手段を備えていると、第１分割カバーおよび第２分割カバーを連動させて同時に旋回させることができ、可動カバーの開閉動作を容易に行うことができる。
【０００９】
また、伝動手段が、第１旋回軸と同心状に固定部分に固定されている固定スプロケットと、第２旋回軸に固定されている可動スプロケットと、固定スプロケットおよび可動スプロケットに巻掛けられているチェーンとを備えていると、伝動手段を簡単な機構でもって構成することができる。
【００１０】
また、固定スプロケットの歯数よりも可動スプロケットの歯数が大であると、第１分割カバーよりも第２分割カバーを小さい角度で旋回させることができ、旋回時の第２分割カバーの干渉領域を小さくすることができる。
【発明の効果】
【００１１】
この発明によれば、カバーを収納するために広い据付スペースを必要としない工作機械用カバーが提供される。
【発明を実施するための最良の形態】
【００１２】
この発明の実施の形態を図面を参照しながらつぎに説明する。
【００１３】
以下の説明において、前後とは、図１の左側を前（正面）、これと反対側を後（背面）といい、左右とは、前方から見て、その左右の側を左右（図２の左右の側）というものとする。
【００１４】
工作機械は、前後方向に長い略方形状ベッド11と、ベッド11上に前後移動自在に支持されているテーブル12と、ベッド11を後寄り部分でまたいでいる門型コラム13と、門型コラム13に上下移動自在に渡されているクロスレール14と、クロスレール14にそって水平移動自在に支持されているサドル15と、サドル15に装備されている主軸頭16とを備えている。
【００１５】
図示しないクレーンによって、ワークがテーブル12上に搬入・搬出されるようになっている。テーブル12の上方スペースが加工エリアである。門型コラム13より前方の加工エリアがカバー21によって被覆されている。
【００１６】
カバー21は、加工エリアの前面の部分を被覆する前面固定カバー31と、加工エリアの左側面の部分を被覆する側面固定カバー32と、加工エリアの頂面から右側面にかけての部分を開放自在に被覆する可動カバー33とよりなる。
【００１７】
前面固定カバー31および側面固定カバー32は、ともに、垂直板状のものである。可動カバー33は、分割ライン41によって第１分割カバー42および第２分割カバー43に２分割されている。第１分割カバー42および第２分割カバー43は、分割ライン41にそって２つ折りを可能とするものである。図２において、第１分割カバー42および第２分割カバー43は、２つ折りにされて、可動カバー33が加工エリアを開放している状態で示されている。
【００１８】
つぎに、図３を参照しながら、可動カバー33について詳細に説明する。図３において、可動カバー33の開閉状態が軌跡L1〜L6として示されている。L1が閉じた状態であり、L6が開いた状態である。
【００１９】
閉じた状態で、可動カバー33は、全体として、横断面逆Ｌ字状をなす。可動カバー33のなすＬ字の角に当たる部分よりも左側面に近い部分に分割ライン41が位置させられている。第１分割カバー42は、平板状のものである。第２分割カバー43は、そのもの自身、横断面逆Ｌ字屈曲板状のものである。
【００２０】
側面固定カバー32の上縁部に、前後方向にのびた水平状第１旋回軸51が回転自在に支持されている。第１旋回軸51に第１分割カバー42の左縁部が固定されている。分割ライン41において、第１分割カバー42の右縁部に、第１旋回軸51と平行にのびた第２旋回軸52が回転自在に支持されている。第２旋回軸52に第２分割カバー43の左縁部が固定されている。
【００２１】
第１旋回軸51と同心状に固定スプロケット53が、適宜固定支持部材、ここでは、側面固定カバー32の上縁部に固定されている。第２旋回軸52に可動スプロケット54が固定されている。固定スプロケット53および可動スプロケット54にエンドレス・チェーン55が巻掛けられている。また、第１旋回軸51には旋回操作アーム56が固定されている。固定スプロケット53の歯数は、１６である。可動スプロケット54の歯数は、１８である。
【００２２】
可動カバー33を閉じた状態から、旋回操作アーム56によって、第１旋回軸51を、図３中、半時計方向に回転させると、第１分割カバー42および第２分割カバー43がチェーン55とともに第１旋回軸51を中心として上向きに旋回させられていく。固定スプロケット53は固定されていて回転しないため、チェーン55の旋回は、第２旋回軸52に時計方向の回転をもたらせる。これにより、第２旋回軸52が時計方向に回転し、第２分割カバー43は地上側に対しては上向きに旋回していくが、第１分割カバー42に対しては下向きに旋回させられる。最終的には軌跡L6で示す状態になるまで、可動カバー33は旋回させられて、開いた状態になる。
【００２３】
可動カバー33が閉じた状態から開いた状態になるまで、第１分割カバー42の旋回角度をα、第２分割カバー43の旋回角度をβとすると、α＞βである。これは、固定スプロケット53および可動スプロケット54の歯数差に基づくものである。可動カバー33が開いた状態から閉じるには、第１旋回軸51を、図３中、時計方向に回転させる。
【００２４】
可動カバー33が開閉する際に、第２分割カバー43の下端の軌跡がＳで示されている。この軌跡Ｓの内側にある方形状スペースが有効スペースＥである。有効スペースＥは、加工エリアを形成し、開閉に際し、可動カバー33との干渉を避けられるスペースである。
【００２５】
図４は、可動カバー33の他の例を示すものである。この例では、固定スプロケット53および可動スプロケット54の歯数をともに等しい１６としている。この場合、第１分割カバー42の旋回角度α'＝第２分割カバー43の旋回角度をβ'となる。第２分割カバー43の下端の軌跡がＳ'で示されている。この軌跡Ｓ'は、先に示した有効スペースＥに対し矢印Ｉで示す部分で干渉することになる。
【００２６】
図５は、可動カバー33のさらなる他の例を示すものである。分割ライン41が、閉じた可動カバー33のなすＬ字の角に当たる部分に位置させられている。第１分割カバー42および第２分割カバー43は、ともに、平板状のものである。固定スプロケット53の歯数は、１２である。可動スプロケット54の歯数は、１８である。このような構成を採用すると、第２分割カバー43の下端の軌跡Ｓ''は、有効スペースＥから大きく離れることになる。その反面、可動カバー33を開いた状態で、第１分割カバー42の上端レベルＨは、例えば、図４に示す場合のレベルＨ'と比較して、高くなる。
【００２７】
また、上記にあっては、工作機械の側面側に固定カバーおよび可動カバーを位置させているが、後面に固定カバーを有する工作機械であれば、頂面と前面側のカバーを可動カバーとするなど、頂面とどの側面とを組み合わせて可動カバーとしてもよい。
【図面の簡単な説明】
【００２８】
【図１】この発明によるカバーを備えた工作機械の正面図である。
【図２】図１のII−II線にそう垂直断面図である。
【図３】同カバーの開閉動作説明図である。
【図４】他の例によるカバーの開閉動作説明図である。
【図５】さらなる他の例によるカバーの開閉動作説明図である。
【図６】従来例によるカバーを備えた工作機械の正面図である。
【符号の説明】
【００２９】
21  カバー
32  固定カバー
33  可動カバー
41  分割ライン
42  第１分割カバー
43  第２分割カバー
【図１】
2008188681.tif 000003
【図２】
2008188681.tif 000004
【図３】
2008188681.tif 000005
【図４】
2008188681.tif 000006
【図５】
2008188681.tif 000007
【図６】
2008188681.tif 000008